(57)【要約】【課題】設定登録されたアドレス情報に対応したＷｅｂページで公開される情報を取得し、ユーザによる保存先の設定の手間なく蓄積し得る画像形成装置を提供する。【解決手段】所定のＷｅｂページのアドレス情報に基づきＷｅｂサーバ側で管理されるＷｅｂページにアクセスし、Ｗｅｂページファイルを取得する機能を備えた画像形成装置において、ユーザの要求に応じて、該Ｗｅｂページのアドレス情報を設定登録し、該設定登録手段によるアドレス情報の設定登録に伴い、該アドレス情報に基づきアクセスされる上記Ｗｅｂサーバから取得されるＷｅｂページファイルを保存し蓄積するボックスを作成する。【選択図】図７
2007216552.tif 000002
【特許請求の範囲】
【請求項１】
所定のＷｅｂページのアドレス情報に基づきＷｅｂサーバ側で管理されるＷｅｂページにアクセスし、Ｗｅｂページファイルを取得する機能を備えた画像形成装置において、
上記Ｗｅｂページのアドレス情報を設定登録する設定登録手段と、
上記設定登録手段によるアドレス情報の設定登録に伴い、該アドレス情報に基づき取得されるＷｅｂページファイルを保存し蓄積するボックスを作成するボックス作成手段と、を有していることを特徴とする画像形成装置。
【請求項２】
上記ユーザを認証するためのユーザ認証手段を備えており、
上記ボックス作成手段は、上記Ｗｅｂページファイルを保存し蓄積するボックスとして、上記ユーザ認証手段により認証されたユーザに対してのみアクセス可能なボックスを作成することを特徴とする請求項１記載の画像形成装置。
【請求項３】
上記ボックス作成手段は、上記設定登録手段によるアドレス情報の設定登録に伴い、上記ユーザ認証手段により認証されたユーザがアクセス可能に作成されたボックスが既に存在する場合にも、ユーザの要求に応じて、上記Ｗｅｂページファイルを保存し蓄積するボックスを新規に作成することを特徴とする請求項２記載の画像形成装置。
【請求項４】
上記設定登録手段により設定登録されるアドレス情報に対応したＷｅｂページへのアクセスについてアクセス権が設定される場合に、該アドレス情報の設定登録に伴い、上記ボックス作成手段は、所定のアクセス権が設定されたボックスを作成することを特徴とする請求項１〜３のいずれか一に記載の画像形成装置。
【請求項５】
上記Ｗｅｂページファイルが、上記ボックス作成手段により作成されるボックスへの保存前に所定のファイル形式に変換されることを特徴とする請求項１〜４のいずれか一に記載の画像形成装置。
【請求項６】
上記Ｗｅｂページファイルが、上記ボックス作成手段により作成されるボックスへの保存前にＰＤＦ形式に変換され、上記ボックス作成手段により作成されたボックスには、上記Ｗｅｂページファイルが、上記アドレス情報に基づくＷｅｂページへのアクセス毎に１ファイルにまとめられて保存される、ことを特徴とする請求項５記載の画像形成装置。
【請求項７】
上記ボックス作成手段により作成されるボックスには、該ボックスへのＷｅｂページファイルの保存に伴い該Ｗｅｂページファイルに基づき印刷を実行する上での印刷条件が関連付けられることを特徴とする請求項１〜６のいずれか一に記載の画像形成装置。
【請求項８】
上記ボックスに関連付けられた印刷条件を反映した印刷の実行後に、ユーザの要求に応じて、印刷対象となったＷｅｂページファイルを保存するボックスが削除されることを特徴とする請求項７記載の画像形成装置。
【請求項９】
上記ボックス作成手段により作成されたボックスに対して、１つ又は複数のアドレス情報が関連付けられ、該ボックスには、１つ又は複数のアドレス情報に対応したＷｅｂページファイルが保存されることを特徴とする請求項１〜８のいずれか一に記載の画像形成装置。
【請求項１０】
上記アドレス情報に基づきＷｅｂページファイルを取得し得なくなった場合に、該アドレス情報が関連付けられたボックスの削除の要否についての確認がユーザに対して行われることを特徴とする請求項１〜９のいずれか一に記載の画像形成装置。
【請求項１１】
上記アドレス情報に基づきＷｅｂページファイルを取得し得なくなった場合に、該アドレス情報が関連付けられたボックス内に保存されるＷｅｂページファイルがなければ、該ボックスが削除されることを特徴とする請求項１〜１０のいずれか一に記載の画像形成装置。
【請求項１２】
所定のＷｅｂページのアドレス情報に基づきＷｅｂサーバ側で管理されるＷｅｂページにアクセスし、Ｗｅｂページファイルを取得する機能を備えた画像形成装置に、
上記Ｗｅｂページファイルのアドレス情報を設定登録する手順と、
上記アドレス情報の設定登録に伴い、該アドレス情報に基づき取得されるＷｅｂページファイルを保存し蓄積するボックスを作成する手順と、を実行させるＷｅｂページファイル取得プログラム。
【発明の詳細な説明】
【技術分野】
【０００１】
本発明は、所定のＷｅｂページファイルのアドレス情報に基づきＷｅｂサーバ側で管理されるＷｅｂページにアクセスし、Ｗｅｂページファイルを取得する機能を備えた画像形成装置、及び、画像形成装置により実行されるＷｅｂページファイル取得プログラムに関する。
【背景技術】
【０００２】
周知の通り、インターネットやイントラネット上で公開されているＷｅｂページの情報は、常時同じ状態に保たれず、定期的にあるいは非定期的に更新されるものであるが、従来では、過去に公開されていたＷｅｂページの情報を任意に閲覧可能とすべく保持するために、印刷装置におけるＷｅｂページ情報の提供元であるアドレス情報（ＵＲＬ）の指定に伴い、印刷が自動的に実行される技術が知られている。例えば特開２００３−２８３７８７号公報には、ＵＲＬ及び印刷条件が指定されるのに伴い、ＷＷＷ上のニュースサイトのコンテンツ等を含むＷｅｂページファイルがダウンロードされ、該Ｗｅｂページファイルに基づき印刷が実行される印刷装置が開示されている。
【０００３】
【特許文献１】特開２００３−２８３７８７号公報
【発明の開示】
【発明が解決しようとする課題】
【０００４】
また、従来では、過去に公開されていたＷｅｂページの情報を、閲覧のみならず、印刷及び転送用に利用するために、サーバ等の装置におけるＵＲＬの指定に伴い、Ｗｅｂページファイルがダウンロードされ、装置内に保存される技術が知られている。しかしながら、従来知られた技術では、ダウンロードされたＷｅｂページファイルをサーバに保存させるために、ユーザが保存先を設定する必要があり、例えば、定期的にダウンロードを実行する場合にも、その都度、保存先を設定する必要がある等、面倒な作業を回避し得なかった。更に、サーバ等の装置にダウンロードされたＷｅｂページファイルが保存される場合、Ｗｅｂページファイルのセキュリティを確保するには、様々なアプリケーションや設備が必要となり、複雑なシステムとなることがあった。
【０００５】
この発明は、設定登録されたアドレス情報に対応したＷｅｂページで公開される情報を取得し、ユーザによる保存先の設定の手間なく、そのセキュリティを確保しつつ蓄積し得る画像形成装置及びＷｅｂページファイル取得プログラムを提供することを目的とする。
【課題を解決するための手段】
【０００６】
そこで、本願の請求項１に係る発明は、所定のＷｅｂページのアドレス情報に基づきＷｅｂサーバ側で管理されるＷｅｂページにアクセスし、Ｗｅｂページファイルを取得する機能を備えた画像形成装置において、上記Ｗｅｂページのアドレス情報を設定登録する設定登録手段と、該設定登録手段によるアドレス情報の設定登録に伴い、該アドレス情報に基づき取得されるＷｅｂページファイルを保存し蓄積するボックスを作成するボックス作成手段と、を有していることを特徴としたものである。
【０００７】
また、本願の請求項２に係る発明は、請求項１に係る発明において、上記ユーザを認証するためのユーザ認証手段を備えており、上記ボックス作成手段は、上記Ｗｅｂページファイルを保存し蓄積するボックスとして、上記ユーザ認証手段により認証されたユーザに対してのみアクセス可能なボックスを作成することを特徴としたものである。
【０００８】
更に、本願の請求項３に係る発明は、請求項２に係る発明において、上記ボックス作成手段は、上記設定登録手段によるアドレス情報の設定登録に伴い、上記ユーザ認証手段により認証されたユーザがアクセス可能に作成されたボックスが既に存在する場合にも、ユーザの要求に応じて、上記Ｗｅｂページファイルを保存し蓄積するボックスを新規に作成することを特徴としたものである。
【０００９】
また、更に、本願の請求項４に係る発明は、上記請求項１〜３に係る発明のいずれかにおいて、上記設定登録手段により設定登録されるアドレス情報に対応したＷｅｂページへのアクセスについてアクセス権が設定される場合に、該アドレス情報の設定登録に伴い、上記ボックス作成手段は、所定のアクセス権が設定されたボックスを作成することを特徴としたものである。
【００１０】
また、更に、本願の請求項５に係る発明は、上記請求項１〜４に係る発明のいずれかにおいて、上記Ｗｅｂページファイルが、上記ボックス作成手段により作成されるボックスへの保存前に所定のファイル形式に変換されることを特徴としたものである。
【００１１】
また、更に、本願の請求項６に係る発明は、上記請求項５に係る発明において、上記Ｗｅｂページファイルが、上記ボックス作成手段により作成されるボックスへの保存前にＰＤＦ形式に変換され、上記ボックス作成手段により作成されたボックスには、上記Ｗｅｂページファイルが、上記アドレス情報に基づくＷｅｂページへのアクセス毎に１ファイルにまとめられて保存されることを特徴としたものである。
【００１２】
また、更に、本願の請求項７に係る発明は、上記請求項１〜６に係る発明のいずれかにおいて、上記ボックス作成手段により作成されるボックスには、該ボックスへのＷｅｂページファイルの保存に伴い該Ｗｅｂページファイルに基づき印刷を実行する上での印刷条件が関連付けられることを特徴としたものである。
【００１３】
また、更に、本願の請求項８に係る発明は、上記請求項７に係る発明において、上記ボックスに関連付けられた印刷条件を反映した印刷の実行後に、ユーザの要求に応じて、印刷対象となったＷｅｂページファイルを保存するボックスが削除されることを特徴としたものである。
【００１４】
また、更に、本願の請求項９に係る発明は、上記請求項１〜８に係る発明のいずれかにおいて、上記ボックス作成手段により作成されたボックスに対して、１つ又は複数のアドレス情報が関連付けられ、該ボックスには、１つ又は複数のアドレス情報に対応したＷｅｂページファイルが保存されることを特徴としたものである。
【００１５】
また、更に、本願の請求項１０に係る発明は、上記請求項１〜９に係る発明のいずれかにおいて、上記アドレス情報に基づきＷｅｂページファイルを取得し得なくなった場合に、該アドレス情報が関連付けられたボックスの削除の要否についての確認がユーザに対して行われることを特徴としたものである。
【００１６】
また、更に、本願の請求項１１に係る発明は、上記請求項１〜１０に係る発明のいずれかにおいて、上記アドレス情報に基づきＷｅｂページファイルを取得し得なくなった場合に、該アドレス情報が関連付けられたボックス内に保存されるＷｅｂページファイルがなければ、該ボックスが削除されることを特徴としたものである。
【００１７】
また、更に、本願の請求項１２に係る発明は、所定のＷｅｂページのアドレス情報に基づきＷｅｂサーバ側で管理されるＷｅｂページにアクセスし、Ｗｅｂページファイルを取得する機能を備えた画像形成装置に、上記Ｗｅｂページのアドレス情報を設定登録する手順と、該アドレス情報の設定登録に伴い、該アドレス情報に基づき取得されるＷｅｂページファイルを保存し蓄積するボックスを作成する手順と、を実行させるＷｅｂページファイル取得プログラムである。
【発明の効果】
【００１８】
本願の請求項１に係る発明によれば、画像形成装置において、所定のＷｅｂページのアドレス情報の設定登録に伴い、該アドレス情報に対応したＷｅｂページファイルを保存し蓄積するためのボックスが自動的に作成されるため、ユーザによるＷｅｂページファイルの保存先の設定の手間なく、Ｗｅｂページファイルを取得することができる。また、所定のアドレス情報に基づき、逐次更新されるＷｅｂページファイルを同じボックスにまとめて保存可能であるため、Ｗｅｂページファイルの閲覧，印刷，転送等が容易に実行可能であるように、Ｗｅｂページファイルを効率的に管理することができる。
【００１９】
また、本願の請求項２に係る発明によれば、上記ユーザ認証手段により認証されたユーザに対してのみアクセス可能なボックスにＷｅｂページファイルが保存されるため、ボックス保存後のＷｅｂページ情報のセキュリティを確保することができる。
【００２０】
更に、本願の請求項３に係る発明によれば、既存のボックスの有無にかかわらず、ユーザの要求に応じて、新規ボックスの作成が可能であるため、ユーザの使い勝手を向上させることができる。
【００２１】
また、更に、本願の請求項４に係る発明によれば、Ｗｅｂページへのアクセスについてアクセス権が設定される場合に、Ｗｅｂページファイルが保存されたボックスへのアクセス権が設定されるため、Ｗｅｂページ情報のセキュリティをボックスへの保存後にも確保することができる。
【００２２】
また、更に、本願の請求項５に係る発明によれば、Ｗｅｂページファイルが、ボックスへの保存前に所定のファイル形式に変換されるため、Ｗｅｂページファイルのサイズ軽減，保存後のファイル利用の容易化など、様々な利便を考慮しつつ、ファイル形式が設定可能である。
【００２３】
また、更に、本願の請求項６に係る発明によれば、ＷｅｂページファイルがＰＤＦ形式に変換され、Ｗｅｂページへのアクセス毎にまとめて保存されるため、ボックスに保存されたＷｅｂページファイルの利用に際して、更新された情報だけを効率的に取り出すことができる。
【００２４】
また、更に、本願の請求項７に係る発明によれば、Ｗｅｂページファイルの取得に伴い若しくは所定のタイミングで、自動的に印刷が実行されるため、ユーザがＷｅｂページファイルが保存されるボックスにアクセスしＷｅｂページファイルに基づく印刷を指示する手間を省略することができる。
【００２５】
また、更に、本願の請求項８に係る発明によれば、例えば１度きりの印刷実行のためにＷｅｂページファイルを保存するボックスが作成された場合に、不要なボックスが装置内に残ることを回避することができる。
【００２６】
また、更に、本願の請求項９に係る発明によれば、１つのボックスに対して１つ又は複数のアドレス情報が関連付けられ、１つのボックスに１つ又は複数のＷｅｂページに対応したファイルが保存されるため、例えば、Ｗｅｂページ毎に管理する、若しくは、同じジャンルに属する複数のＷｅｂページをまとめて管理することができ、ユーザの利用形態に応じたボックスを設定することができる。
【００２７】
また、更に、本願の請求項１０に係る発明によれば、Ｗｅｂページファイルが取得し得なくなった場合に、それに対応したボックスの削除の要否がユーザに確認されるため、不要なボックスが装置内に残ることを回避することができ、これにより、ボックスを効率的に管理することができ、また、装置内の記憶装置への負担を軽減することができる。
【００２８】
また、更に、本願の請求項１１に係る発明によれば、Ｗｅｂページファイルが取得し得なくなった場合に、それに対応したボックス内にＷｅｂページファイルが存在しなければ、ボックスが削除されるため、不要なボックスが装置内に残ることを回避することができ、これにより、ボックスを効率的に管理することができ、また、装置内の記憶装置への負担を軽減することができる。
【００２９】
また、更に、本願の請求項１２に係る発明によれば、上記請求項１に係る発明と同様の効果を奏することができる。
【発明を実施するための最良の形態】
【００３０】
以下、本発明の実施形態について、添付図面を参照しながら説明する。なお、この実施形態では、特許請求の範囲に記載の「画像形成装置」として、多機能複合機（以下、ＭＦＰ（Multifunction Peripheral）という）を取り上げる。
図１は、本発明の実施形態に係るパーソナルコンピュータ（以下、ＰＣという）及びＭＦＰを含むネットワークの構成を概略的に示す図である。このネットワーク１は、複数のＰＣ１０と、プリンタ機能，ファクシミリ機能，コピー機能，スキャナ機能など複数の機能をもつＭＦＰ２０と、ネットワーク外部との接続時にセキュリティを確保するためのプロキシサーバ３０と、を有しており、これらの構成は、ネットワークバス１５を介して接続されている。このネットワーク１では、ＰＣ１０で処理された文書データや画像データ等のジョブデータを、ＭＦＰ２０へ送信してＭＦＰ２０側でプリントしたり、ＭＦＰ２０で原稿を読み込むことにより作成されたジョブデータをＰＣ１０へ送信してＰＣ１０側で表示又は格納したりすることが可能である。
【００３１】
また、このネットワーク１は、インターネット５０に接続されており、ＭＦＰ２０は、原稿に基づき作成したジョブデータを、例えば他のネットワーク上にある遠隔のＰＣへインターネット５０経由で送信したり、遠隔のＰＣからインターネット経由で送信されてきたジョブデータを受信し、それに基づきプリント出力したりすることも可能である。なお、ネットワーク１の構成として、実際には、例えばメールサーバ，ルータ等の図１に示す構成以外も含まれるが、ここでは、それらを省略する。
【００３２】
図２は、ＭＦＰ２０の基本的な構成を示すブロック図である。ＭＦＰ２０は、所定のプログラムに基づき各種の命令を実行させるなどして、ＭＦＰ２０内の各構成を制御するＣＰＵ２１と、ＣＰＵ２１による制御の基になるプログラムを格納するＲＯＭ２２と、プログラムの実行に必要なワークエリアや外部から送信されてきたジョブデータを一時的に格納するＲＡＭ２３と、各種プログラム及びデータを格納するハードディスク（図中の「ＨＤ」）２４と、ユーザによる装置の操作及び各種の設定入力を可能とするタッチパネル式の表示パネルを備えた操作部２５と、原稿を読み取り、例えばビットマップ形式の画像データを取得するスキャナ部２６と、ジョブデータに基づき用紙等の記録媒体に対してプリントを実行するプリンタ部２７と、ジョブデータ等の各種データの送受信を外部と行なうためのネットワークインターフェースカード（図中の「ＮＩＣ」）２８と、を有している。これらの構成は、バス２９を介して互いにデータ送受信可能に接続されている。
【００３３】
このＭＦＰ２０では、ユーザがＭＦＰ２０のコピー機能，プリンタ機能，スキャナ機能を利用する際に、外部から入力された若しくはＭＦＰ本体で生成されたデータが、ハードディスク２４に保存されるが、このハードディスク２４には、例えば種類別に保存するなど、データを効率的に管理すべく保存するためのボックスが任意に設定可能である。かかるボックスとしては、全てのユーザがアクセス可能である共有ボックスと、予め設定されたグループに属するユーザ若しくは個人ユーザのみがアクセス可能であるグループ又は個人専用ボックスがある。これらのボックスには階層的な構造をもたせることができ、ボックスの下位に別のボックスを設定することができる。
【００３４】
なお、グループ又は個人専用ボックス、若しくは、その下位に存在するボックスへのアクセスに際しては、ユーザＩＤやパスワードを用いたユーザ認証処理が必要となり、ユーザ認証済みのユーザに対してのみ、それらのボックスへのアクセスが許可され、それらに保存されるデータの利用が可能となる。また、ボックスに保存されるデータのセキュリティを確保するために、グループ又は個人専用ボックスの下位に存在するボックスに対して、特定のアクセス権を設定することも可能である。この場合、アクセス権が設定されたボックスへのアクセスに際しては、グループ又は個人専用ボックスへのアクセス時に行われるユーザ認証処理以外に、所定の識別情報を用いた認証処理が必要となる。
【００３５】
また、ＭＦＰ２０では、インターネット５０上に存在するＷｅｂサーバ５５（図１参照）側で管理されるＷｅｂページのアドレス情報（以下、ＵＲＬという）が設定されると、ＵＲＬに基づき、Ｗｅｂページへのアクセスが行われ、Ｗｅｂページのデータ（以下、Ｗｅｂページファイルという）がＭＦＰ本体にダウンロードされる。その後、ダウンロードされたＷｅｂページファイルに基づきプリンタ部２７で印刷が実行される、若しくは、Ｗｅｂページファイル自体がハードディスク２４に保存される。
【００３６】
Ｗｅｂページファイルがハードディスク２４に保存される場合には、ハードディスク２４に設定されたボックスに保存されるが、本実施形態では、ＭＦＰ２０において、ユーザがＷｅｂページファイルの保存先となるボックスを設定する煩わしい作業を回避する工夫がなされている。加えて、ボックスに保存され蓄積されたＷｅｂページファイルのセキュリティを確保しつつ、Ｗｅｂページファイルを効率的に利用可能とするように管理する工夫がなされている。以下、Ｗｅｂページファイルの保存先となるボックスを「ＵＲＬボックス」という。
【００３７】
図３は、かかる工夫に関連して、ＭＦＰ２０に設定された機能をあらわすブロック図である。なお、本実施形態において、各機能は、図２に示す構成及びＲＯＭ２２又はハードディスク２４に格納されたボックス管理プログラムに基づき実現されるが、ここでは、それぞれハードウェア構成として示される。基本的に、ＭＦＰ２０には、ボックス管理部４１と、ＵＲＬ管理部４２と、Ｗｅｂサーバアクセス部４３と、印刷ジョブ処理部４４と、ファイル形式変換部４５と、ユーザ認証部４６と、が設定されている。
【００３８】
まず、ボックス管理部４１は、ハードディスク２４に設定されるＵＲＬボックスを含むボックスを管理する種々の機能を備え、基本的には、ボックス作成部４１ａと、ボックス削除部４１ｂと、ボックス削除部４１ｂと、印刷条件管理部４１ｃと、パスワード管理部４１ｄと、を有している。ボックス作成部４１ａは、ユーザからのＵＲＬの設定登録の要求に応じて、そのＵＲＬに対応したＷｅｂページファイルを保存するための新規のボックスを作成する機能を備え、ボックス削除部４１ｂは、ユーザの要求に応じてボックスを削除する若しくはＷｅｂページの閉鎖の検出に応じて自動的にボックスを削除する機能を備え、また、印刷条件管理部４１ｃは、ＵＲＬボックスに保存されるＷｅｂページファイルの印刷に関する条件を管理する機能を備え、更に、パスワード管理部４１ｄは、例えば、セキュリティがかけられたＷｅｂページから取得されたＷｅｂページファイル等、機密性のあるＷｅｂページファイルに関して、ボックスに保存され蓄積されたファイルを利用し得るユーザを制限するためにボックスに設定されたパスワードを管理する機能と、を備えている。印刷条件管理部４１ｃにより管理される印刷に関する条件としては、印刷実行の要否，印刷対象，印刷実行のタイミング，印刷の仕様等がある。これによれば、例えば、毎週月曜日に、先週１週間に保存されたＷｅｂページファイルについて、２ｉｎ１両面で回覧順や回覧タイトルなどを印字した表紙を付けつつ１点ステープルで印刷が実行される条件を設定することができる。
【００３９】
また、ＵＲＬ管理部４２は、ボックス管理部４１で管理されるＵＲＬボックスに関連付けられるＵＲＬを管理する機能を備えており、特にセキュリティがかけられたＷｅｂページに関しては、ＵＲＬに加えて、そのＵＲＬに基づくＷｅｂページへのアクセス権を証明するためのパスワードを管理する。更に、Ｗｅｂサーバアクセス部４３は、ＭＦＰ２０におけるＵＲＬの設定登録時に若しくは予め設定された所定のタイミングで、Ｗｅｂページファイルを取得すべくＷｅｂサーバ５５側で管理されるＷｅｂページへアクセスする機能を備えている。また、更に、印刷ジョブ処理部４４は、ＵＲＬボックスに保存され蓄積されたＷｅｂページファイルに基づき印刷を実行する上で、Ｗｅｂページファイルを印刷ジョブデータに変換する機能を備えている。
【００４０】
また、更に、ファイル形式変換部４５は、Ｗｅｂページファイルのボックス内への保存前に必要に応じてファイル形式を変換する機能を備えている。Ｗｅｂページファイルは、Ｗｅｂサーバ５５から取得された状態では、例えばＨＴＭＬ形式，ＴＩＦＦ形式等のデータから構成されるが、ファイル形式変換部４５では、ユーザの要求に応じて、かかるＷｅｂページファイルが、ＰＤＦ形式等のプラットフォームに依存せず各ユーザに配布し易い形式のデータに変換される。また、更に、ユーザ認証部４６は、ＭＦＰ２０におけるＵＲＬの設定登録若しくはグループ又は個人専用ボックスとして設定されたＵＲＬボックスのアクセスに際して、ユーザ認証処理を実行する機能を備えている。
【００４１】
以上のような機能が設定されたＭＦＰ２０では、基本的に、ＵＲＬの設定登録に伴い、そのＵＲＬに関連付けられたＵＲＬボックスが自動的に作成され、ユーザにより指定されたアクセスタイミングで若しくはＵＲＬ設定登録と同時に、Ｗｅｂサーバ５５側で管理されるＷｅｂページへのアクセスが行われ、ＵＲＬに対応したＷｅｂページファイルがダウンロードされ、ＵＲＬボックスに蓄積される。ユーザは、ＵＲＬボックスに蓄積されたＷｅｂページファイルを、ＭＦＰ２０の操作部２５又はＰＣ１０のモニタを介して閲覧したり、該Ｗｅｂページファイルに基づき印刷を実行したり、外部機器へ例えばＦＴＰ形式で若しくは電子メール形式で転送したりするなど、任意に利用することができる。なお、ＵＲＬボックスが、グループ又は個人専用ボックスの下位に存在するボックスとして作成された場合には、ユーザ認証処理が行われ、認証されたユーザのみに対してＵＲＬボックスのアクセスが許可され、該ＵＲＬボックスに蓄積されたＷｅｂページファイルの利用が可能となる。
【００４２】
図４には、ＭＦＰ２０のボックス作成部４１ａにより、ハードディスク２４に設定された各種のＵＲＬボックスを概念的に示す。まず、第１及び第２ＵＲＬボックスは、それぞれ、第１ＵＲＬ及び第２ＵＲＬの設定登録に伴い作成されたボックスであり、共に、ユーザＡのみアクセス可能に設定された個人専用ボックスである「ユーザＡ専用ボックス」の下位ボックスとして設定され、「ユーザＡ専用ボックス」と同様に、ユーザＡのみアクセス可能となっている。また、第３及び第４ＵＲＬボックスは、それぞれ、第３ＵＲＬ及び第４ＵＲＬの設定登録に伴い作成されたボックスであり、グループＸに属するユーザのみアクセス可能に設定されたグループ専用ボックスである「グループＸ専用ボックス」の下位ボックスとして設定され、「グループＸ専用ボックス」と同様に、グループＸに属するユーザのみアクセス可能となっている。更に、第５及び第６ＵＲＬボックスは、それぞれ、第３ＵＲＬ及び第４ＵＲＬの設定登録に伴い作成されたボックスであり、全てのユーザがアクセス可能である共有ボックスとして設定されている。
【００４３】
本実施形態では、各ＵＲＬボックスに対して、１つのＵＲＬが関連付けられ、該ＵＲＬボックスには、関連付けられたＵＲＬに対応したＷｅｂページファイルのみが保存させられても、若しくは、各ＵＲＬボックスに対して、複数のＵＲＬが関連付けられ、複数のＵＲＬに対応したＷｅｂページファイルを保存させられてもよい。例えば、各ＵＲＬボックスに、毎日新聞，朝日新聞，読売新聞等の新聞社のＷｅｂページのＵＲＬがそれぞれ関連付けられることで、各ＵＲＬボックスにおいて、各新聞社のＷｅｂページに対応したファイルが保存される。あるいは、１つのＵＲＬボックスに、ニュース全般として、毎日新聞，朝日新聞，読売新聞等の複数の新聞社のＷｅｂページのＵＲＬが関連付けられることで、１つのＵＲＬボックスにおいて、複数の新聞社のＷｅｂページに対応したファイルがまとめて保存される。
【００４４】
また、本実施形態では、Ｗｅｂページファイルの保存に際し、例えば「ＵＲＬ＋取得時間」で構成されたファイルネームが、Ｗｅｂページファイルに自動的に設定される。なお、これに限定されることなく、各ファイルの違いが識別可能であれば、いかなるファイルネームが設定されてもよい。
【００４５】
図５は、ＵＲＬの設定登録に伴い、ＵＲＬボックスが作成される処理についての第１のフローチャートである。ここでは、ユーザが、Ｗｅｂページファイルの取得の為のＷｅｂサーバ５５側で管理されるＷｅｂページへのアクセスが、ＵＲＬの設定登録と同時でなく、それ以降のタイミングで実行されることを要求するものとする。
この処理では、まず、ユーザからＰＣ１０を介して若しくはＭＦＰ２０の操作部２５を介してＵＲＬ登録の要求があるか否かが判断される（＃１１）。その結果、ＵＲＬ登録の要求がないと判断された場合には、再度ステップ＃１１が繰り返され、他方、ＵＲＬ登録の要求があったと判断された場合には、続いて、ユーザの設定入力の内容に基づき、ＵＲＬ登録に伴い新たに作成されるＵＲＬボックスに対して全てのユーザがアクセス可能とされるか否か、すなわち、ＵＲＬボックスが全ユーザ間における共有ボックスとされるか否かが判断される（＃１２）。その結果、全てのユーザがアクセス可能とされると判断された場合には、共有ボックスとしてのＵＲＬボックスが作成された上で（＃１５）、ステップ＃１６へ進み、他方、一部のユーザ又は個人ユーザのみアクセス可能とされると判断された場合には、ステップ＃１３へ進む。なお、ステップ＃１５で作成されたＵＲＬボックスは、図４における第５及び６ＵＲＬに該当する。
【００４６】
ステップ＃１３では、ＵＲＬ登録を要求するユーザ専用（若しくはそのユーザが属するグループ専用）のボックスがＭＦＰ２０内にないか否かが判断される。ここでは、例えばユーザを認証するためのユーザＩＤやパスワードが用いられ、既に作成されたボックスのうち、ユーザＩＤやパスワードと関連付けられたボックスがないか否かの判断が実行される。その結果、ユーザ専用のボックスがないと判断された場合には、ユーザ専用のボックスと、該ユーザ専用のボックスの下位ボックスとしてのＵＲＬボックスとが作成された上で（＃１４）、ステップ＃１６へ進む。また、一方、ステップ＃１３の結果、ユーザ専用のボックスがあると判断された場合には、該ユーザ専用のボックスの下位ボックスとしてのＵＲＬボックスのみが作成された上で（＃１５）、ステップ＃１６へ進む。なお、ステップ＃１４及びステップ＃１５で作成されたＵＲＬボックスは、共に、第１及び第２ＵＲＬに該当する。
【００４７】
ステップ＃１６では、ＵＲＬに対応したるＷｅｂページへのアクセスタイミング，Ｗｅｂページファイルの取得に伴う印刷の要否等の各種条件の設定が済んだか否かが判断される。なお、特に図示しないが、この設定に際して、ＭＦＰ２０の操作部２５若しくはＵＲＬ登録要求元のＰＣ１０のモニタにおいて設定入力画面が表示される。ステップ＃１６の結果、各種条件の設定が済んでいないと判断された場合には、再度ステップ＃１６が繰り返され、他方、各種条件の設定が済んだと判断された場合には、各種条件が、作成されたＵＲＬボックスに関連付けられつつ保存される（＃１７）。以上で処理が終了される。
【００４８】
本実施形態では、ステップ＃１３の結果、ユーザ専用のボックスがあると判断された場合には、既存のユーザ専用のボックス内にＵＲＬボックスが作成されたが、これに限定されることなく、例えばユーザ専用のボックス及びその下位ボックスとなるＵＲＬボックスが新規に作成されてもよい。また、あるＵＲＬの設定登録に際して、それ以前に同じＵＲＬの設定登録が行われ、そのＵＲＬに対応したＵＲＬボックスが既に作成されている場合にも、ユーザの要求に応じて、Ｗｅｂページファイルの保存先として、既存のボックスを用いず、新しいボックスを作成することが可能である。更に、ステップ＃１６における各種条件としては、印刷に関する条件に限らず、ＵＲＬボックスに保存されたＷｅｂページファイルの外部機器（例えばＰＣ１０等）への転送の要否，圧縮形式，保存期間，Ｗｅｂページの更新に伴うユーザへの通知の要否等が設定可能である。
【００４９】
図６は、図５に示す処理実行に伴い作成されたＵＲＬボックスに関連して設定された各種条件に基づき実行されるＷｅｂページファイル取得処理についてのフローチャートである。
この処理では、まず、登録されたＵＲＬに関連付けられつつ設定されたタイミング（すなわちＵＲＬへのアクセスタイミング）になったか否かが判断される（＃２１）。その結果、ＵＲＬへのアクセスタイミングでないと判断された場合には、再度ステップ＃２１が繰り返され、他方、ＵＲＬへのアクセスタイミングであると判断された場合には、登録されたＵＲＬへのアクセスが行われる（＃２２）。
【００５０】
ステップ＃２２でのアクセスに伴い、ＭＦＰ２０では、Ｗｅｂページファイルが、Ｗｅｂサーバ５５からダウンロードされることにより取得され（＃２３）、その後、Ｗｅｂページファイルが保存される（＃２４）。更に、各種条件の１つとして、印刷実行を必要とする印刷設定がなされているか否かが判断され（＃２５）、その結果、印刷設定がなされていると判断された場合には、印刷が実行された上で（＃２６）、処理が終了され、他方、印刷設定がなされていないと判断された場合には、直接に処理が終了される。
【００５１】
図７は、ＵＲＬの設定登録に伴い、ＵＲＬボックスが作成される処理についての第２のフローチャートである。ここでは、ユーザが、Ｗｅｂページファイルの取得の為のＷｅｂサーバ５５側で管理されるＷｅｂページへのアクセスがＵＲＬ設定登録と同時に実行されることを要求するものとする。
この処理では、まず、ユーザからＰＣ１０を介して若しくはＭＦＰ２０の操作部２５を介してＵＲＬ登録の要求があるか否かが判断される（＃３１）。その結果、ＵＲＬ登録の要求がないと判断された場合には、再度ステップ＃３１が繰り返され、他方、ＵＲＬ登録の要求があったと判断された場合には、続いて、ユーザの設定入力の内容に基づき、ＵＲＬ登録に伴い新たに作成されるＵＲＬボックスに対して全てのユーザがアクセス可能とされるか否か、すなわち、ＵＲＬボックスが全ユーザ間における共有ボックスとされるか否かが判断される（＃３２）。その結果、全てのユーザがアクセス可能とされると判断された場合には、共有ボックスとしてのＵＲＬボックスが作成された上で（＃３５）、ステップ＃３６へ進み、他方、一部のユーザ又は個人ユーザのみアクセス可能とされると判断された場合には、ステップ＃３３へ進む。なお、ステップ＃３５で作成されたＵＲＬボックスは、図４における第５及び６ＵＲＬに該当する。
【００５２】
ステップ＃３３では、ＵＲＬ登録を要求するユーザ専用（若しくはそのユーザが属するグループ専用）のボックスがＭＦＰ２０内にないか否かが判断される（＃３３）。ここでは、図５中のステップ＃１３について説明した処理と同様の処理が行われる。その結果、ユーザ専用のボックスがないと判断された場合には、ユーザ専用のボックスと、該ユーザ専用のボックスの下位ボックスとしてのＵＲＬボックスとが作成された上で（＃３４）、ステップ＃３６へ進む。また、一方、ステップ＃３３の結果、ユーザ専用のボックスがあると判断された場合には、該ユーザ専用のボックスの下位ボックスとしてのＵＲＬボックスのみが作成された上で（＃３５）、ステップ＃３６へ進む。なお、ステップ＃３４及びステップ＃１５で作成されたＵＲＬボックスは、共に、第１及び第２ＵＲＬに該当する。
【００５３】
ステップ＃３６では、ＵＲＬへのアクセスタイミング，Ｗｅｂページファイルの取得に伴う印刷の要否等の、各種条件の設定が済んだか否かが判断される。その結果、各種条件の設定が済んでいないと判断された場合には、再度ステップ＃３６が繰り返され、他方、各種条件の設定が済んだと判断された場合には、続いて、登録されたＵＲＬへのアクセスが実行される（＃３７）。
【００５４】
ステップ＃３７でのアクセスに伴い、ＭＦＰ２０では、Ｗｅｂページファイルが、Ｗｅｂサーバ５５からダウンロードされることにより取得され（＃３８）、その後、Ｗｅｂページファイルが保存される（＃３９）。更に、印刷実行を必要とする印刷設定がなされているか否かが判断され（＃４０）、その結果、印刷設定がなされていると判断された場合には、印刷が実行された上で（＃４１）、処理が終了され、他方、印刷設定がなされていないと判断された場合には、直接に処理が終了される。
【００５５】
なお、図６及び図７に示される処理においては、各種条件の１つとして、印刷の要否に加え、印刷対象となったＷｅｂページファイルの印刷実行後の削除の要否をユーザに対して設定可能としても、あるいは、ステップ＃２６及び＃４１における印刷実行の後に、印刷対象となったＷｅｂページファイルを削除するか否かを確認する確認画面をＭＦＰ２０の操作部２５又はＰＣ１０のモニタに表示するようにしてもよい。
【００５６】
以上のように、本実施形態によれば、ＭＦＰ２０において、ＵＲＬの設定登録に伴い、ＵＲＬに対応したＷｅｂページファイルを保存するボックスが自動的に作成されるため、ユーザが保存先を設定する手間なく、Ｗｅｂページファイルが保存される。また、必要に応じて、Ｗｅｂページファイルに基づき印刷を実行することができる。更に、ＷｅｂページファイルがＭＦＰ２０に保存される場合には、ＭＦＰ２０に予め設定されるセキュリティ機能をＷｅｂページファイルに対してそのまま活用することができ、ネットワーク上のサーバ等にＷｅｂページファイルを保存する場合に比べて、高セキュリティを容易に確保することができる。
【００５７】
ところで、ＭＦＰ２０においては、例えばＷｅｂページの閉鎖等の理由により、Ｗｅｂページファイルが取得不可能である、若しくは、あるアクセスタイミング以降で取得不可能となる場合（すなわちＵＲＬが無効である場合）があるが、かかる場合には、Ｗｅｂページファイルが保存されることのないＵＲＬボックスがそのまま残る状況が考えられる。本実施形態では、これを回避すべく、特にＷｅｂページファイルが蓄積されておらず新規に保存される見込みのないＵＲＬボックスが自動的に削除されるようになっている。
【００５８】
図８は、かかるボックス削除処理についてのフローチャートである。この処理では、まず、登録されたＵＲＬに関連付けられつつ設定されたタイミング（ＵＲＬへのアクセスタイミング）になったか否かが判断される（＃５１）。その結果、ＵＲＬへのアクセスタイミングでないと判断された場合には、再度ステップ＃５１が繰り返され、他方、ＵＲＬへのアクセスタイミングであると判断された場合には、登録されたＵＲＬへのアクセスが行われる（＃５２）。
【００５９】
ステップ＃５２でのアクセスに伴い、ＭＦＰ２０では、Ｗｅｂページファイルが取得可能であるか否かが判断され（＃５３）、その結果、Ｗｅｂページファイルが取得可能であると判断された場合には、ステップ＃５４へ進み、他方、ＵＲＬに対応するＷｅｂページが閉鎖されていた場合等、Ｗｅｂページファイルが取得できないと判断された場合には、ステップ＃５７へ進む。
【００６０】
ステップ＃５４では、Ｗｅｂサーバ５５からダウンロードされることで取得されたＷｅｂページファイルが、ＵＲＬボックス内に保存される。その後、印刷実行を必要とする印刷設定がなされているか否かが判断され（＃５５）、その結果、印刷設定がなされていると判断された場合には、印刷が実行された上で（＃５６）、処理が終了され、他方、印刷設定がなされていないと判断された場合には、即時に処理が終了される。
【００６１】
また、一方、ステップ＃５７では、ＵＲＬボックス内に保存されるＷｅｂページファイルが存在するか否かが判断され、その結果、Ｗｅｂページファイルが存在しないと判断された場合には、ＵＲＬボックスが削除された上で（＃５９）、処理が終了される。他方、Ｗｅｂページファイルが存在すると判断された場合には、引き続き、ＵＲＬボックスを削除するか否かが判断される（＃５８）。なお、かかる判断は、ＭＦＰ２０の操作部２５又はＵＲＬ登録要求元のＰＣ１０のモニタに表示された選択画面上でユーザが行った選択結果に基づき行われる、若しくは、ユーザの設定入力の内容に従いＭＦＰ２０に予め登録された条件に基づき実行される。
【００６２】
ステップ＃５８の結果、ＵＲＬボックスを削除すると判断された場合には、ＵＲＬボックスが削除された上で（＃５９）、処理が終了され、他方、ＵＲＬボックスを削除しないと判断された場合には、即時に処理が終了される。
【００６３】
なお、この図８では、ＵＲＬボックスの削除が行われる場合に、ＵＲＬボックスのみが削除されるように説明されたが、ＵＲＬボックスの削除に伴い、ＵＲＬボックスに関連付けられたＵＲＬ，各種条件も全て削除される。
【００６４】
このように、ＭＦＰ２０では、Ｗｅｂページの閉鎖等によりＷｅｂページファイルが取得不可能である、若しくは、取得不可能となった場合に、ＷｅｂページファイルがＵＲＬボックス内に存在しなければ、ＵＲＬボックスが自動的に削除され、他方、ＷｅｂページファイルがＵＲＬボックス内に存在していれば、ユーザに対して削除の要否が確認されることで、不要なＵＲＬボックス及びそれに蓄積されたＷｅｂページファイルが可能な限り削除されるようにして、ＵＲＬボックスを効率的に管理することができ、また、ハードディスク２４への負担を軽減することができる。
【００６５】
また、例えば、Ｗｅｂページの中には、それにアクセスするためにアクセス権が必要となるものがあるが、本実施形態では、かかるＷｅｂページで公開される情報が機密性をもつ情報として扱われ、ＵＲＬボックスへの保存後のセキュリティを確保するために、Ｗｅｂページファイルを蓄積するＵＲＬボックスにアクセス権が設定されるようになっている。
【００６６】
図９は、これに関連したセキュリティ機能付きＵＲＬボックスの作成処理についてのフローチャートである。なお、ここでは、図５と同様に、ユーザが、Ｗｅｂページファイルの取得の為のＷｅｂサーバ５５側で管理されるＷｅｂページへのアクセスが、ＵＲＬの設定登録と同時でなく、それ以降のタイミングで実行されることを要求するものとする。
この処理では、まず、ユーザからＰＣ１０を介して若しくはＭＦＰ２０の操作部２５を介してＵＲＬ登録の要求があるか否かが判断される（＃６１）。その結果、ＵＲＬ登録の要求がないと判断された場合には、再度ステップ＃１１が繰り返され、他方、ＵＲＬ登録の要求があったと判断された場合には、続いて、ＵＲＬの設定登録に伴い、アクセスについてアクセス権が設定されたＵＲＬに関して、ＵＲＬアクセス用のパスワードが指定されたか否かが判断される（＃６２）。その結果、ＵＲＬアクセス用のパスワードが指定されていないと判断された場合には、ステップ＃６３へ進み、他方、ＵＲＬアクセス用のパスワードが指定されたと判断された場合には、ステップ＃６７へ進む。
【００６７】
ステップ＃６３では、ユーザの設定入力の内容に基づき、ＵＲＬ登録に伴い新たに作成されるＵＲＬボックスに対して全てのユーザがアクセス可能とされるか否か、すなわち、ＵＲＬボックスが全ユーザ間における共有ボックスとされるか否かが判断される（＃６３）。その結果、全てのユーザがアクセス可能とされると判断された場合には、共有ボックスとしてのＵＲＬボックスが作成された上で（＃６６）、ステップ＃７０へ進み、他方、一部のユーザ又は個人ユーザのみアクセス可能とされると判断された場合には、ステップ＃６４へ進む。
【００６８】
ステップ＃６４では、ＵＲＬ登録を要求するユーザ専用（若しくはそのユーザが属するグループ専用）のボックスがＭＦＰ２０内にないか否かが判断される。ここでは、例えばユーザを認証するためのユーザＩＤやパスワードが用いられ、既に作成されたボックスのうち、ユーザＩＤやパスワードと関連付けられたボックスがないか否かの判断が実行される。その結果、ユーザ専用のボックスがないと判断された場合には、ユーザ専用のボックスと、該ユーザ専用のボックスの下位ボックスとしてのＵＲＬボックスとが作成された上で（＃６５）、ステップ＃７０へ進む。また、一方、ステップ＃６４の結果、ユーザ専用のボックスがあると判断された場合には、該ユーザ専用のボックスの下位ボックスとしてのＵＲＬボックスのみが作成された上で（＃６６）、ステップ＃７０へ進む。
【００６９】
ステップ＃６７では、ユーザ専用（若しくはそのユーザが属するグループ専用）のボックスがないか否かが判断され、その結果、ユーザ専用ボックスがないと判断された場合には、ユーザ専用のボックスとともに、該ユーザ専用のボックスの下位ボックスとして、アクセス権が設定されたセキュリティ機能付きのＵＲＬボックスとが作成された上で（＃６８）、ステップ＃７０へ進む。また、一方、ステップ＃６４の結果、ユーザ専用のボックスがあると判断された場合には、該ユーザ専用のボックスの下位ボックスとして、アクセス権が設定されたセキュリティ機能付きのＵＲＬボックスのみが作成された上で（＃６９）、ステップ＃７０へ進む。なお、ステップ＃６８及び＃６９で作成されるセキュリティ機能付きのＵＲＬボックスには、ステップ＃６２で指定ありと判断されたＵＲＬアクセス用のパスワードと同じパスワードが設定される。この場合、ＵＲＬボックスへのアクセスに際しては、ユーザ専用のボックスにアクセスするためのユーザ認証処理が実行されるのに加えて、セキュリティ機能付きのＵＲＬボックスに設定されたパスワードの認証処理が必要となる。
【００７０】
ステップ＃７０では、ＵＲＬに対応したＷｅｂページのアクセスタイミング，Ｗｅｂページファイルの取得に伴う印刷の要否等の各種条件の設定が済んだか否かが判断される。なお、特に図示しないが、この設定に際して、ＭＦＰ２０の操作部２５若しくはＵＲＬ登録要求元のＰＣ１０のモニタにおいて設定入力画面が表示される。ステップ＃７０の結果、各種条件の設定が済んでいないと判断された場合には、再度ステップ＃７０が繰り返され、他方、各種条件の設定が済んだと判断された場合には、各種条件が、作成されたＵＲＬボックスに関連付けられつつ保存される（＃７１）。以上で処理が終了される。
【００７１】
このように、ＵＲＬに対応したＷｅｂページへのアクセスについてアクセス権が設定されたＵＲＬの設定登録に伴い、そこに保存されるＷｅｂページファイルを利用するためのアクセス権が設定されたセキュリティ機能付きのＵＲＬボックスが作成されるため、ＵＲＬボックスへの保存後のＷｅｂページファイルのセキュリティを確保することができる。なお、Ｗｅｂページで公開される情報が機密性をもたないものであっても、ユーザの要求に応じて、ＵＲＬボックスにアクセス権が設定されてもよい。
【００７２】
図１０は、図６〜８のフローチャートに含まれる「Ｗｅｂページファイルの保存」ステップをより詳細に説明するフローチャートである。
この処理では、まず、Ｗｅｂページファイルの保存形式として、ＰＤＦ形式が設定されているか否かが判断される（＃８１）。なお、かかる判断は、ユーザの設定入力に従いＭＦＰ２０に予め登録された設定内容に基づき実行される。その結果、ＰＤＦ形式が設定されていないと判断された場合には、Ｗｅｂサーバ５５から取得されたＷｅｂページファイルがそのままの形式（例えばＨＴＭＬ又はＴＩＦＦ形式）で、対応するＵＲＬボックス内に保存され（＃８４）、その後、図６〜９に示すフローへリターンさせられる。
【００７３】
他方、ステップ＃８１の結果、ＰＤＦ形式が設定されていると判断された場合には、Ｗｅｂサーバ５５から取得されたＷｅｂページファイルがＰＤＦ形式へ変換された上で（＃８２）、ＵＲＬボックス内に保存される（＃８３）。その後、図６〜９に示すフローへリターンさせられる。
【００７４】
このように、ＭＦＰ２０では、ユーザの要求に応じて、元々ＨＴＭＬ形式及びＴＩＦＦ形式等のデータで構成されるＷｅｂページファイルがＰＤＦ形式に変換され、Ｗｅｂページファイルが、Ｗｅｂサーバ５５側で管理されるＷｅｂページへのアクセス毎に１ファイルにまとめられて保存されるため、ＵＲＬボックスに蓄積された各Ｗｅｂページファイルはバインダ式に管理され、ユーザは、Ｗｅｂページファイルの利用に際して、更新された情報だけを効率的に取り出すことができる。
【００７５】
なお、本発明は、例示された実施形態に限定されるものでなく、本発明の要旨を逸脱しない範囲において、種々の改良及び設計上の変更が可能であることは言うまでもない。
【図面の簡単な説明】
【００７６】
【図１】本発明の実施形態に係るＭＦＰを含み、インターネットに接続されたネットワークの構成を概略的に示す図である。
【図２】上記ＭＦＰの基本構成をあらわすブロック図である。
【図３】上記ＭＦＰに設定された各種機能をあらわすブロック図である。
【図４】上記ＭＦＰに内蔵されるハードディスク内に作成されるボックスの概念図である。
【図５】上記ＭＦＰにより実行される、ＵＲＬの設定登録に伴いＵＲＬボックスが作成される処理についての第１のフローチャートである。
【図６】図５に示す処理実行に伴い作成されたＵＲＬボックスに関連して設定された各種条件に基づき上記ＭＦＰにより実行されるＷｅｂページファイル取得処理についてのフローチャートである。
【図７】上記ＭＦＰにより実行される、ＵＲＬの設定登録に伴いＵＲＬボックスが作成される処理についての第２のフローチャートである。
【図８】上記ＭＦＰにより実行されるボックス削除処理についてのフローチャートである。
【図９】上記ＭＦＰにより実行されるセキュリティ機能付きＵＲＬボックスの作成処理についてのフローチャートである。
【図１０】図６〜８中の「Ｗｅｂページファイルの保存」ステップをより詳細に説明するフローチャートである。
【符号の説明】
【００７７】
１…ネットワーク，１０…ＰＣ，２０…ＭＦＰ，２１…ＣＰＵ，２２…ＲＯＭ，２３…ＲＡＭ，２４…ハードディスク，２５…操作部，２６…スキャナ部，２７…プリンタ部，２８…ネットワークインターフェースカード，４１…ボックス管理部，４１ａ…ボックス作成部，４１ｂ…ボックス削除部，４１ｃ…印刷条件管理部，４１ｄ…パスワード管理部，４２…ＵＲＬ管理部，４３…Ｗｅｂサーバアクセス部，４４…印刷ジョブ処理部，４５…ファイル形式変換部，４６…ユーザ認証部，５０…インターネット，５５…Ｗｅｂサーバ。
【図１】
2007216552.tif 000003
【図２】
2007216552.tif 000004
【図３】
2007216552.tif 000005
【図４】
2007216552.tif 000006
【図５】
2007216552.tif 000007
【図６】
2007216552.tif 000008
【図７】
2007216552.tif 000009
【図８】
2007216552.tif 000010
【図９】
2007216552.tif 000011
【図１０】
2007216552.tif 000012